(57)【要約】【課題】録音または撮像、録画の機能を備え、防犯を目的としたドアホン装置は、録音または録画していることを訪問者本人に気づかれないため、訪問者が空き巣等であった場合に、犯行を未然に防止するには十分でなかった。【解決手段】玄関子機１０１と室内親機１０２とで通話を構成するドアホン装置１００であって、室内親機１０２は、録音開始コマンドを送信するコマンド生成部１１９と、音声を録音する録音部１２２を備え、玄関子機１０１は、呼出ボタン部１０５と、録音開始コマンドを受信するコマンド解析部１０６と、録音中であることを表示する表示部１１０を備え、呼出ボタン部１０５からの呼出により、コマンド生成部１１９からコマンド解析部１０６に録音開始コマンドが送信され、録音部１２２は録音を開始し、表示部１１０は録音中であることの表示をする。【選択図】図１
2007142511.tif 000002
【特許請求の範囲】
【請求項１】
玄関子機と室内親機とで通話を構成するドアホン装置であって、
前記室内親機は、前記玄関子機からの音声を録音する録音部と、前記録音部の録音開始を通知する録音開始コマンドを前記玄関子機に送信するコマンド送信部を備え、
前記玄関子機は、呼出を行う呼出ボタン部と、前記室内親機から前記録音開始コマンドを受信するコマンド受信部と、前記室内親機が録音中であることを表示する表示部を備え、
前記呼出ボタン部からの呼出により前記録音部は録音を開始し、前記コマンド送信部から前記コマンド受信部に前記録音開始コマンドが送信され、前記表示部は録音中であることの表示をすることを特徴とするドアホン装置。
【請求項２】
前記室内親機は操作部を備え、
前記操作部のユーザー操作により前記録音部は録音を停止し、前記コマンド送信部から前記コマンド受信部に前記録音部の録音停止を通知する録音停止コマンドが送信され、前記表示部は録音中であることの表示を停止することを特徴とする請求項１記載のドアホン装置。
【請求項３】
玄関子機と室内親機とで通話を構成するドアホン装置であって、
前記室内親機は、前記玄関子機からの音声を録音する録音部と、操作部と、前記録音部の録音開始を通知する録音開始コマンドを前記玄関子機に送信するコマンド送信部を備え、
前記玄関子機は、少なくとも前記室内親機から前記録音開始コマンドを受信するコマンド受信部と、録音中であることを表示する表示部を備え、
前記操作部のユーザー操作により前記録音部は録音を開始し、前記コマンド送信部から前記コマンド受信部に前記録音開始コマンドが送信され、前記表示部は録音中であることの表示をすることを特徴とするドアホン装置。
【請求項４】
前記操作部のユーザー操作により前記録音部は録音を停止し、前記コマンド送信部から前記コマンド受信部に前記録音部の録音停止を通知する録音停止コマンドが送信され、前記表示部は録音中であることの表示を停止することを特徴とする請求項３記載のドアホン装置。
【請求項５】
前記室内親機は録音時間が設定可能なタイマー部を備え、
前記タイマー部の録音時間終了により前記録音部は録音を停止し、前記コマンド送信部から前記コマンド受信部に前記録音部の録音停止を通知する録音停止コマンドが送信され、前記表示部は録音中であることの表示を停止することを特徴とする請求項１から４のいずれか１項に記載のドアホン装置。
【請求項６】
玄関子機と室内親機とで通話を構成するドアホン装置であって、
前記玄関子機は、訪問者の映像を撮像する撮像部と、呼出を行う呼出ボタン部と、前記室内親機から前記映像の記録の開始を通知する録画開始コマンドを受信するコマンド受信部と、前記室内親機が録画中であることを表示する表示部を備え、
前記室内親機は、前記玄関子機で撮像された映像を記録する録画部と、前記録画開始コマンドを前記玄関子機に送信するコマンド送信部を備え、
前記呼出ボタン部からの呼出により前記録画部は記録を開始し、前記コマンド送信部から前記コマンド受信部に前記録画開始コマンドが送信され、前記表示部は録画中であることの表示をすることを特徴とするドアホン装置。
【請求項７】
前記室内親機は操作部を備え、
前記操作部のユーザー操作により前記録画部は映像の記録を停止し、前記コマンド送信部から前記コマンド受信部に前記映像の記録の停止を通知する録画停止コマンドが送信され、前記表示部は録画中の表示を停止することを特徴とする請求項６記載のドアホン装置。
【請求項８】
玄関子機と室内親機とで通話を構成するドアホン装置であって、
前記玄関子機は、訪問者の映像を撮像する撮像部と、前記室内親機から前記映像の記録の開始を通知する録画開始コマンドを受信するコマンド受信部と、録画中であることを表示する表示部を備え、
前記室内親機は、前記玄関子機で撮像された映像を記録する録画部と、操作部と、前記録画開始コマンドを前記玄関子機に送信するコマンド送信部を備え、
前記操作部のユーザー操作により前記録画部は記録を開始し、前記コマンド送信部から前記コマンド受信部に前記録画開始コマンドが送信され、前記表示部は録画中であることの表示をすることを特徴とするドアホン装置。
【請求項９】
前記操作部のユーザー操作により前記録画部は記録を停止し、前記コマンド送信部から前記コマンド受信部に前記録画部の記録停止を通知する録画停止コマンドが送信され、前記表示部は録画中であることの表示を停止することを特徴とする請求項８記載のドアホン装置。
【請求項１０】
前記室内親機は記録時間が設定可能なタイマー部を備え、
前記タイマー部の記録時間終了により前記録画部は記録を停止し、前記コマンド送信部から前記コマンド受信部に前記録画部の記録停止を通知する録画停止コマンドが送信され、前記表示部は録画中の表示を停止することを特徴とする請求項６から９のいずれか１項に記載のドアホン装置。
【発明の詳細な説明】
【技術分野】
【０００１】
本発明は、マイクとスピーカを備えた玄関子機と、マイクとスピーカを備えた室内親機とを備え、前記玄関子機と前記室内親機との間で通話可能なドアホン装置に関するものである。
【背景技術】
【０００２】
従来、業務用のみならず一般家庭用のドアホン装置においても、室内から訪問者が不審者かどうか、撮像によって確認できる機能を備えたドアホン装置が普及している。また、より防犯性を高めるため録音機能を備えたドアホン装置も普及するようになっている。このような防犯性を高めたドアホン装置として、撮像した訪問者の映像を録画する機能を備え、留守中における訪問者を録画する技術が知られている（特許文献１参照）。
【０００３】
また、玄関子機にフラッシュランプを備え、室内親機にフラッシュ点灯ボタンを備えて、いたずらや迷惑な呼出を繰り返す訪問者に対して、フラッシュランプを逐次点灯させて、威嚇して、その呼出行為をやめさせる技術が知られている（特許文献２参照）。
【特許文献１】特開２０００−３６９５２号公報
【特許文献２】特開平１１−３４１１７０号公報
【発明の開示】
【発明が解決しようとする課題】
【０００４】
しかしながら、上記従来の特許文献１に記載の技術では、訪問者が不法侵入者や空き巣や強盗であった場合、撮像機能が動作していることは、訪問者には認識されないため、玄関子機の呼出に室内からの応答がなければ、本人は気づかれていないと判断して、空き巣や強盗の行為に及んでしまうという事態がありうる。この場合、撮像機能は犯行事後の犯人の逮捕の証拠情報としては有効ではあるが、犯行を未然に防止することには十分ではない。
【０００５】
また、上記従来の特許文献２に記載の技術では、フラッシュランプの点灯は、威嚇行為としては、軽微なものであるため、いたずらの防止の対策としては効果があるが、不法侵入や空き巣や強盗などの犯行防止という目的に対しての効果は小さい。
【０００６】
そこで、本発明はこのような従来の課題を解決するものであり、不法侵入や空き巣や強盗などの犯行を未然に防止する防犯機能を有するドアホン装置を提供することを目的とする。
【課題を解決するための手段】
【０００７】
本発明は、上記目的を達成するために、請求項１に示すとおり、玄関子機と室内親機とで通話を構成するドアホン装置であって、前記室内親機は、前記玄関子機からの音声を録音する録音部と、前記録音部の録音開始を通知する録音開始コマンドを前記玄関子機に送信するコマンド送信部を備え、前記玄関子機は、呼出を行う呼出ボタン部と、前記室内親機から前記録音開始コマンドを受信するコマンド受信部と、録音中であることを表示する表示部を備え、前記呼出ボタン部からの呼出により前記録音部は録音を開始し、前記コマンド送信部から前記コマンド受信部に前記録音開始コマンドが送信され、前記表示部は録音中であることの表示をすることとした。
【０００８】
また、本発明は、上記目的を達成するために、請求項３に示すとおり、玄関子機と室内親機とで通話を構成するドアホン装置であって、前記室内親機は、前記玄関子機からの音声を録音する録音部と、操作部と、前記録音部の録音開始を通知する録音開始コマンドを前記玄関子機に送信するコマンド送信部を備え、前記玄関子機は、少なくとも前記室内親機から前記録音開始コマンドを受信するコマンド受信部と、録音中であることを表示する表示部を備え、前記操作部のユーザー操作により前記録音部は録音を開始し、前記コマンド送信部から前記コマンド受信部に前記録音開始コマンドが送信され、前記表示部は録音中であることの表示をすることとした。
【０００９】
また、本発明は、上記目的を達成するために、請求項６に示すとおり、玄関子機と室内親機とで通話を構成するドアホン装置であって、前記玄関子機は、訪問者の映像を撮像する撮像部と、呼出を行う呼出ボタン部と、前記室内親機から前記映像の記録の開始を通知する録画開始コマンドを受信するコマンド受信部と、録画中であることを表示する表示部を備え、前記室内親機は、前記玄関子機で撮像された映像を記録する録画部と、前記録画開始コマンドを前記玄関子機に送信するコマンド送信部を備え、前記呼出ボタン部からの呼出により前記録画部は記録を開始し、前記コマンド送信部から前記コマンド受信部に前記録画開始コマンドが送信され、前記表示部は録画中であることの表示をすることとした。
【００１０】
また、本発明は、上記目的を達成するために、請求項８に示すとおり、玄関子機と室内親機とで通話を構成するドアホン装置であって、前記玄関子機は、訪問者の映像を撮像する撮像部と、前記室内親機から前記映像の記録の開始を通知する録画開始コマンドを受信するコマンド受信部と、録画中であることを表示する表示部を備え、前記室内親機は、前記玄関子機で撮像された映像を記録する録画部と、操作部と、前記録画開始コマンドを前記玄関子機に送信するコマンド送信部を備え、前記操作部のユーザー操作により前記録画部は記録を開始し、前記コマンド送信部から前記コマンド受信部に前記録画開始コマンドが送信され、前記表示部は録画中であることの表示をすることとした。
【発明の効果】
【００１１】
本発明によれば、訪問者が空き巣や強盗であった場合、訪問者の音声を録音していること、あるいは録画していることを表示手段によって訪問者に警告し、警戒感を抱かせて犯罪行為を中止させる心理的威嚇をするので、空き巣や強盗などの犯罪を未然に防止する効果を奏する。
【発明を実施するための最良の形態】
【００１２】
本願の請求項１に記載の発明は、玄関子機と室内親機とで通話を構成するドアホン装置であって、前記室内親機は、前記玄関子機からの音声を録音する録音部と、前記録音部の録音開始を通知する録音開始コマンドを前記玄関子機に送信するコマンド送信部を備え、前記玄関子機は、呼出を行う呼出ボタン部と、前記室内親機から録音開始コマンドを受信するコマンド受信部と、録音中であることを表示する表示部を備え、前記呼出ボタン部からの呼出により前記録音部は録音を開始し、前記コマンド送信部から前記コマンド受信部に録音コマンドが送信され、前記表示部は録音中であることの表示をするものである。
【００１３】
これにより、訪問者が空き巣や強盗であった場合、訪問者の音声を録音していることを表示手段によって訪問者に警告し、警戒感を抱かせて犯罪行為を中止させる心理的威嚇をするので、空き巣や強盗などの犯罪を未然に防止する効果を奏する。
【００１４】
また、本願の請求項２に記載の発明は、上記請求項１の構成に加えて、前記室内親機は操作部を備え、前記操作部のユーザー操作により前記録音部は録音を停止し、前記コマンド送信部から前記コマンド受信部に前記録音部の録音停止を通知する録音停止コマンドが送信され、前記表示部は録音中であることの表示を停止するものである。
【００１５】
これにより、上記請求項１の効果に加えて、利用者が在宅時に、開始された録音が不要なものであると判断した場合は、利用者の操作により、録音を停止できるので、録音の記録媒体に不必要な音声が蓄積されず、記録媒体の有効利用が図れるという効果を奏する。
【００１６】
また、本願の請求項３に記載の発明は、玄関子機と室内親機とで通話を構成するドアホン装置であって、前記室内親機は、前記玄関子機からの音声を録音する録音部と、操作部と、前記録音部の録音開始を通知する録音開始コマンドを前記玄関子機に送信するコマンド送信部を備え、前記玄関子機は、少なくとも前記室内親機から前記録音開始コマンドを受信するコマンド受信部と、録音中であることを表示する表示部を備え、前記操作部のユーザー操作により前記録音部は録音を開始し、前記コマンド送信部から前記コマンド受信部に前記録音開始コマンドが送信され、前記表示部は録音中であることの表示をするものである。
【００１７】
これにより、室内の利用者は訪問者との通話中に、訪問者を不審者と感じた場合、利用者の操作により、訪問者の音声を録音していることを表示手段によって訪問者に警告し、警戒感を抱かせて犯罪行為を中止させる心理的威嚇をするので、不法侵入や強盗などの犯罪を未然に防止する効果を奏する。
【００１８】
また、本願の請求項４に記載の発明は、上記請求項３の構成に加えて、前記操作部のユーザー操作により前記録音部は録音を停止し、前記コマンド送信部から前記コマンド受信部に前記録音部の録音停止を通知する録音停止コマンドが送信され、前記表示部は録音中であることの表示を停止するものである。
【００１９】
これにより、上記請求項３の効果に加えて、利用者の操作により開始した録音が不要なものであると判断した場合は、再び、利用者の操作により、録音を停止できるので、録音の記録媒体に不必要な音声が蓄積されず、記録媒体の有効利用が図れるという効果を奏する。
【００２０】
また、本願の請求項５に記載の発明は、上記請求項１から４いずれか１項に記載の構成に加えて、前記室内親機は録音時間が設定可能なタイマー部を備え、前記タイマー部の録音時間終了により前記録音部は録音を停止し、前記コマンド送信部から前記コマンド受信部に前記録音部の録音停止を通知する録音停止コマンドが送信され、前記表示部は録音中であることの表示を停止するものである。
【００２１】
これにより、上記請求項１から４いずれか１項に記載の効果に加えて、さらに、タイマー動作により、録音を停止できるので、録音の記録媒体に不必要な音声が蓄積されず、記録媒体のより一層の有効利用が図れるという効果を奏する。
【００２２】
また、本願の請求項６に記載の発明は、玄関子機と室内親機とで通話を構成するドアホン装置であって、前記玄関子機は、訪問者の映像を撮像する撮像部と、呼出を行う呼出ボタン部と、前記室内親機から前記映像の記録の開始を通知する録画開始コマンドを受信するコマンド受信部と、録画中であることを表示する表示部を備え、前記室内親機は、前記玄関子機で撮像された映像を記録する録画部と、前記録画開始コマンドを前記玄関子機に送信するコマンド送信部を備え、前記呼出ボタン部からの呼出により前記録画部は記録を開始し、前記コマンド送信部から前記コマンド受信部に前記録画開始コマンドが送信され、前記表示部は録画中であることの表示をするものである。
【００２３】
これにより、訪問者が空き巣や強盗であった場合、訪問者の映像を録画していることを表示手段によって訪問者に警告し、警戒感を抱かせて犯罪行為を中止させる心理的威嚇をするので、空き巣や強盗などの犯罪を未然に防止する効果を奏する。
【００２４】
また、本願の請求項７に記載の発明は、上記請求項６の構成に加えて、前記室内親機は操作部を備え、前記操作部のユーザー操作により前記録画部は映像の記録を停止し、前記コマンド送信部から前記コマンド受信部に前記映像の記録の停止を通知する録画停止コマンドが送信され、前記表示部は録画中の表示を停止するものである。
【００２５】
これにより、上記請求項６の効果に加えて、利用者が在宅時に、開始された録画が不要なものであると判断した場合は、利用者の操作により、録画を停止できるので、録画の記録媒体に不必要な映像が蓄積されず、記録媒体の有効利用が図れるという効果を奏する。
【００２６】
また、本願の請求項８に記載の発明は、玄関子機と室内親機とで通話を構成するドアホン装置であって、前記玄関子機は、訪問者の映像を撮像する撮像部と、前記室内親機から前記映像の記録の開始を通知する録画開始コマンドを受信するコマンド受信部と、録画中であることを表示する表示部を備え、前記室内親機は、前記玄関子機で撮像された映像を記録する録画部と、操作部と、前記録画開始コマンドを前記玄関子機に送信するコマンド送信部を備え、前記操作部のユーザー操作により前記録画部は記録を開始し、前記コマンド送信部から前記コマンド受信部に前記録画開始コマンドが送信され、前記表示部は録画中であることの表示をするものである。
【００２７】
これにより、室内の利用者は訪問者との通話中に、訪問者を不審者と感じた場合、利用者の操作により、訪問者の映像を録画していることを表示手段によって訪問者に警告し、警戒感を抱かせて犯罪行為を中止させる心理的威嚇をするので、不法侵入や強盗などの犯罪を未然に防止する効果を奏する。
【００２８】
また、本願の請求項９に記載の発明は、上記請求項８の構成に加えて、前記操作部のユーザー操作により前記録画部は記録を停止し、前記コマンド送信部から前記コマンド受信部に前記録画部の記録停止を通知する録画停止コマンドが送信され、前記表示部は録画中であることの表示を停止するものである。
【００２９】
これにより、上記請求項８の効果に加えて、利用者の操作により開始した録画が不要なものであると判断した場合は、再び、利用者の操作により、録画を停止できるので、録画の記録媒体に不必要な映像が蓄積されず、記録媒体の有効利用が図れるという効果を奏する。
【００３０】
また、本願の請求項１０に記載の発明は、上記請求項６から９いずれか１項に記載の構成に加えて、前記室内親機は記録時間が設定可能なタイマー部を備え、前記タイマー部の記録時間終了により前記録画部は記録を停止し、前記コマンド送信部から前記コマンド受信部に前記録画部の記録停止を通知する録画停止コマンドが送信され、前記表示部は録画中の表示を停止するものである。
【００３１】
これにより、上記請求項６から９いずれか１項に記載の効果に加えて、さらに、タイマー動作により、録画を停止できるので、録画の記録媒体に不必要な映像が蓄積されず、記録媒体のより一層の有効利用が図れるという効果を奏する。
【実施例】
【００３２】
以下、本発明の実施例におけるドアホン装置について、図面を参照しながら説明する。
【００３３】
（実施例１）
実施例１は録音に係る本発明の一実施態様である。図１は、本発明の実施例１におけるドアホン装置１００のブロック図である。
【００３４】
ドアホン装置１００は、玄関の外に配置される玄関子機１０１と、室内に配置される室内親機１０２を備え、玄関子機１０１と室内親機１０２が有線１１５で接続され、玄関子機１０１と室内親機１０２との間の通話を実現する。
【００３５】
玄関子機１０１は、有線１１５を介して室内親機１０２と信号の送受信を行う信号送受信部１１６と、訪問者が呼出をする呼出ボタン１０５と、スピーカ１０４及びマイク１１３を備えて、室内の利用者と通話をする玄関子機としての基本機能を実現している。
【００３６】
また、スピーカ１０４に出力される室内の利用者の音声とともに室内親機１０２から送信される制御コマンド（制御コマンドの説明は後述。）を復調する復調部１０８を備え、制御コマンドはコマンド解析部１０６で解析され、制御部１０７に通知される。
【００３７】
制御部１０７では、受信した制御コマンドに応答する応答コマンドがコマンド生成部１１２で生成され、マイク１１３から入力される訪問者の音声とともに変調部１０９で変調されて、室内親機１０２に送信される。
【００３８】
さらに、制御部１０７では室内親機１０２から受信した前記制御コマンドに応じて、表示部１１０は「録音中」のランプを点滅させる。「録音中」のランプ点滅は、訪問者に音声が録音されていることを警告する。
【００３９】
室内親機１０２は、有線１１５を介して玄関子機１０１と信号の送受信を行う信号送受信部１２１と、訪問者の呼出ボタン１０５押下による「ピンポーン」等の呼出音を検知する呼出検知部１１４と、スピーカ１１７及びマイク１１８を備えて、玄関の外の訪問者と通話をする室内親機としての基本機能を実現している。
【００４０】
玄関子機１０１から受信した音声及び応答コマンドは、復調部１２３で復調される。訪問者の音声は、制御部１２４を介して、スピーカ１１７から出力され、応答コマンドはコマンド解析部１２０で、解析され、制御コマンドに対する応答があったことを制御部１２４に通知する。
【００４１】
さらに、室内親機１０２は録音部１２２を備えており、訪問者の音声が録音・再生が可能である。ドアホン装置１００の使用に際し、利用者は、あらかじめ、制御部１２４で録音動作に関する設定をしておく。録音動作としては、訪問者の呼出ボタン１０５押下により録音を開始して、計時部１０３のタイマー終了により録音を停止する自動録音モードと、利用者の操作ボタン１１１の押下により録音を開始、停止する手動録音モードの２つのモードを備える。また、利用者の便宜と記録媒体の容量に応じ、計時部１０３においてタイマーの録音時間を設定しておく。
【００４２】
自動録音モードでは、訪問者の呼出ボタン１０５押下による呼出が呼出検知部１１４で検知され、制御部１２４に通知される。これにより、コマンド生成部１１９では制御コマンドの「録音開始」コマンドが生成され、室内親機１０２の変調部１２５、信号送受信部１２１及び玄関子機１０１の信号送受信部１１６、復調部１０８を介してコマンド解析部１０６で「録音開始」が識別されて制御部１０７に通知される。次に、上述のように、応答コマンドがコマンド生成部１１２で生成され、室内親機１０２に送信され、表示部１１０は「録音中」のランプを点滅させる。
【００４３】
応答コマンドを受信した室内親機１０２では、計時部１０３においてタイマーがスタートし、録音部１２２で録音を開始する。
【００４４】
計時部１０３のタイマー終了が制御部１２４に通知されると、コマンド生成部１１９では制御コマンドの「録音停止」コマンドが生成され、上述と同じ信号経路により、「録音停止」が制御部１０７に通知され、表示部１１０で「録音中」のランプを消灯させ、録音部１２２では録音を停止する。
【００４５】
手動録音モードでは、利用者の操作ボタン１１１の押下により、録音部１２２で録音を開始し、表示部１１０で「録音中」のランプを点滅させ、利用者の操作ボタン１１１の再押下により、録音部１２２で録音を停止し、表示部１１０で「録音中」のランプを消灯させる。
【００４６】
次に、ドアホン装置１００の自動録音モードでの録音動作についてフロー図を参照して説明する。図２は、ドアホン装置１００の自動録音モードでの録音動作を示すフロー図である。
【００４７】
訪問者の呼出ボタン１０５による呼出が、呼出検知部１１４で検知されるまで待機する（ステップＳ２０１）。
【００４８】
ステップＳ２０１で呼出が検知されると、室内親機１０２のコマンド生成部１１９は、「録音開始」コマンドを発行する（ステップＳ２０２）。
【００４９】
玄関子機１０１のコマンド解析部１０６は、「録音開始」コマンドを受信する（ステップＳ２０３）。
【００５０】
玄関子機１０１のコマンド生成部１１２は、応答コマンドを発行する（ステップＳ２０４）。
【００５１】
室内親機１０２の計時部１０３は、録音時間のタイマーをスタートする（ステップＳ２０５）。
【００５２】
録音部１２２は、マイク１１３から入力される音声の録音を開始し、玄関子機１０１の表示部１１０は「録音中」のランプの点滅を開始する（ステップＳ２０６）。
【００５３】
タイマーが終了するまで、録音を継続する（ステップＳ２０７）。
【００５４】
タイマーが終了すると、コマンド生成部１１９は「録音停止」コマンドを発行する（ステップＳ２０８）。
【００５５】
コマンド解析部１０６は、「録音停止」コマンドを受信する（ステップＳ２０９）。
【００５６】
コマンド生成部１１２は、応答コマンドを発行する（ステップＳ２１０）。
【００５７】
録音部１２２は、マイク１１３から入力される音声の録音を停止し、玄関子機１０１の表示部１１０は「録音中」のランプを消灯する（ステップＳ２１１）。
【００５８】
録音が停止すると再びステップＳ２０１に戻り、呼出ボタン１０５が押下されるまで待機し、動作を繰り返す。
【００５９】
手動録音モードでの録音動作のフローは、自動録音モードとほぼ同様であるので、相違点のみ説明し、全動作の説明は省略する。手動録音モードにあっては、ステップＳ２０２において、利用者は呼出に応答し、訪問者と通話を行い、その後、操作ボタン１１１を押下すると、「録音開始」コマンドが発行され、録音が開始し、表示部１１０は「録音中」のランプ点滅を開始する。さらに、ステップＳ２０７において、利用者が操作ボタン１１１を再押下することにより「録音停止」コマンドが発行され、録音が停止し、表示部１１０は「録音中」のランプを消灯する。
【００６０】
以上の動作により、訪問者の呼出ボタン１０５の押下、または室内の利用者の操作ボタン１１１の押下により、訪問者の音声を録音するとともに、録音していることを表示手段によって訪問者に警告する。
【００６１】
（実施例２）
実施例２は、録画に係る本発明の一実施態様である。図３は、本発明の実施例２におけるドアホン装置１００のブロック図である。説明の便宜上、図３において、図１と共通する機能部は同じ符号を用いて説明する。
【００６２】
ドアホン装置１００は、玄関の外に配置される玄関子機１０１と、室内に配置される室内親機１０２を備え、玄関子機１０１と室内親機１０２が有線１１５で接続され、玄関子機１０１と室内親機１０２との間の通話を実現する。
【００６３】
玄関子機１０１は、有線１１５を介して室内親機１０２と信号の送受信を行う信号送受信部１１６と、訪問者が呼出をする呼出ボタン１０５、スピーカ１０４、マイク１１３及びカメラ１２６を備えて、室内の利用者との通話を可能とし、訪問者の映像を撮像する玄関子機としての機能を実現している。
【００６４】
また、スピーカ１０４に出力される室内の利用者の音声とともに室内親機１０２から送信される制御コマンド（制御コマンドの説明は後述。）を復調する復調部１０８を備え、制御コマンドはコマンド解析部１０６で解析され、制御部１０７に通知される。
【００６５】
制御部１０７では、受信した制御コマンドに応答する応答コマンドがコマンド生成部１１２で生成され、マイク１１３から入力される訪問者の音声と、カメラ１２６で撮像された訪問者の映像ともに変調部１０９で変調されて、室内親機１０２に送信される。
【００６６】
さらに、制御部１０７では室内親機１０２から受信した前記制御コマンドに応じて、表示部１１０で「録画中」のランプを点滅させる。「録画中」のランプ点滅は、訪問者に映像が録画されていることを警告する。
【００６７】
室内親機１０２は、有線１１５を介して玄関子機１０１と信号の送受信を行う信号送受信部１２１と、訪問者の呼出ボタン１０５の押下による「ピンポーン」等の呼出音を検知する呼出検知部１１４と、スピーカ１１７、マイク１１８、及び映像表示部１２８を備えて、玄関の外の訪問者との通話を可能とし、訪問者の映像を表示する室内親機としての機能を実現している。
【００６８】
玄関子機１０１から受信した音声、映像及び応答コマンドは復調部１２３で復調される。訪問者の音声は制御部１２４を介して、スピーカ１１７から出力され、訪問者の映像は制御部１２４を介して、映像表示部１２８で表示され応答コマンドはコマンド解析部１２０で、解析され、制御コマンドに対する応答があったことを制御部１２４に通知する。
【００６９】
さらに、室内親機１０２は録画部１２７を備えており、訪問者の映像が録画・再生が可能である。ドアホン装置１００の使用に際し、利用者は、あらかじめ、制御部１２４で録画動作に関する設定をしておく。録画動作としては、訪問者の呼出ボタン１０５押下により録画を開始して、計時部１０３のタイマー終了により録画を停止する自動録画モードと、利用者の操作ボタン１１１の押下により録画を開始、停止する手動録画モードの２つのモードを備える。また、利用者の便宜と記録媒体の容量に応じ、計時部１０３においてタイマーの録音時間と、録画の映像の記録フォーマットを、静止画、準動画（連続する静止画）、または動画（いわゆるビデオ映像）から選択設定しておく。
【００７０】
自動録画モードでは、訪問者の呼出ボタン１０５押下による呼出が呼出検知部１１４で検知され、制御部１２４に通知される。これにより、コマンド生成部１１９では制御コマンドの「録画開始」コマンドが生成され、室内親機１０２の変調部１２５、信号送受信部１２１及び玄関子機１０１の信号送受信部１１６、復調部１０８を介してコマンド解析部１０６で「録画開始」が識別されて制御部１０７に通知される。次に、上述のように、応答コマンドがコマンド生成部１１２で生成され、室内親機１０２に送信され、表示部１１０は「録画中」のランプを点滅させる。
【００７１】
応答コマンドを受信した室内親機１０２では、計時部１０３においてタイマーがスタートし、録画部１２７で録画を開始する。
【００７２】
計時部１０３のタイマー終了が制御部１２４に通知されると、コマンド生成部１１９では制御コマンドの「録画停止」コマンドが生成され、上述と同じ信号経路により、「録画停止」が制御部１０７に通知され、表示部１１０で「録画中」のランプを消灯させ、録画部１２７では録画を停止する。
【００７３】
手動録画モードでは、利用者の操作ボタン１１１の押下により、録画部１２７で録画を開始し、表示部１１０で「録画中」のランプを点滅させ、利用者の操作ボタン１１１の再押下により、録画部１２７で録画を停止し、表示部１１０で「録画中」のランプを消灯させる。
【００７４】
ドアホン装置１００の自動録画モード、手動録画モードでの録画動作のフローは実施例１の「録音」を「録画」と置き換えたもので、主要な動作は同等であるので説明は省略する。
【００７５】
以上の動作により、訪問者の呼出ボタン１０５の押下、または室内の利用者の操作ボタン１１１の押下により、訪問者の映像を録画するとともに、録画していることを表示手段によって訪問者に警告する。
【００７６】
なお、実施例１、実施例２にあって、訪問者の呼出ボタン１０５の押下により、録音（または録画）を開始する自動録音（または録画）モードで、利用者が操作ボタン１１１を押下することで録音（または録画）を停止可能しても構わない。また、同様に、利用者の操作ボタン１１１の押下により、録音（または録画）を開始する手動録音（または録画）モードで、計時部１０３で設定したタイマー時間で録音（または録画）を停止可能としても構わない。これにより、不必要な音声または映像は記録媒体に蓄積されず、記録媒体の有効利用が図れる。
【００７７】
また、実施例１、実施例２では、それぞれ録音と録画の機能のみを具備する実施の態様を説明したが、これらの実施例は例示であって、実施例１及び実施例２の構成を組み合わせて、録音と録画の両方を実現するものとしてもかまわない。
【００７８】
また、これらの実施例で、「録音中」、または「録画中」を示す表示部として点滅でなく、点灯であってもかまわない。
【００７９】
また、表示部で「録音中」または「録画中」である表示に加え、「録音中」または「録画中」であることをスピーカ１０４から放音し、警告の喚起を高めるものであってもかまわない。
【００８０】
以上、本発明のドアホン装置、は実施例１、実施例２で説明してきたように、室内親機に録音機能または録画機能を備えるとともに、玄関子機には録音機能または録画機能が動作していることを「録音中」または「録画中」の表示させることによって、訪問者が不法侵入者や空き巣や強盗であった場合、訪問者に映像を録画、または、訪問者の音声を録音していることを警告し、警戒感を抱かせ、犯罪行為を中止させる心理的威嚇により、不法侵入や空き巣や強盗などの犯罪を未然に防止することができる。
【産業上の利用可能性】
【００８１】
本発明のドアホン装置は、室内親機に録音機能または録画機能を備えるとともに、玄関子機には録音機能または録画機能が動作していることを「録音中」または「録画中」の表示させることによって、訪問者が不法侵入者や空き巣や強盗であった場合、訪問者に映像を録画、または、訪問者の音声を録音していることを警告し、警戒感を抱かせ、犯罪行為を中止させる心理的威嚇により、不法侵入や空き巣や強盗などの犯罪を未然に防止することができるため、例えば一戸建て住宅やマンション等の集合住宅等に配置したドアホン装置に有用である。
【図面の簡単な説明】
【００８２】
【図１】本発明の実施例１におけるドアホン装置のブロック図
【図２】実施例１のドアホン装置の自動録音モードでの録音動作を示すフロー図
【図３】本発明の実施例２におけるドアホン装置のブロック図
【符号の説明】
【００８３】
１００    ドアホン装置
１０１    玄関子機
１０２    室内親機
１０４    スピーカ
１０５    呼出ボタン
１１０    表示部
１１１    操作ボタン
１１３    マイク
１１７    スピーカ
１１８    マイク
１２２    録音部
１２６    カメラ
１２７    録画部
１２８    映像表示部
【図１】
2007142511.tif 000003
【図２】
2007142511.tif 000004
【図３】
2007142511.tif 000005